(57)【要約】【課題】この発明は、自動販売機における外扉の上部に取り付けた際、連結部分の段差が目立ちにくく、外観的な見栄えや体裁が良好で、１つの装飾体で構成されたような一体感、あるいは意匠感を現出することができる自動販売機用の扉装飾体を提供することを目的とする。【解決手段】上部装飾体２０２の幅方向全長を、自動販売機１００における外扉１００ａと対応する横幅に可変調節して該外扉１００ａの上部正面に取り付ける際、矩形パーツ１４２を、中央パーツ１３０の左側端部を基準として上下方向Ｙ、及び前後方向Ｚに移動させ、矩形パーツ１４２の連結側端部上面、及び正面を、中央パーツ１３０の連結側端部上面、及び正面に沿って段差無く幅方向Ｘに連なるように取付け位置を可変調節する。これにより、中央パーツ１３０と矩形パーツ１４２との連結側端部間に生じる上下、及び前後の段差を解消することができる。【選択図】図７
2014215626.tif 000002
【特許請求の範囲】
【請求項１】
自動販売機における販売機本体の正面側開口部に対して開閉自在に連結された外扉の上部に取り付けられる自動販売機用の扉装飾体であって、
前記扉装飾体を、
前記外扉の幅方向上部に配置される中央装飾体と、該中央装飾体の幅方向端部に連結される側部装飾体とで構成し、
前記扉装飾体の幅方向全長を、前記外扉の横幅に応じて幅方向に可変調節可能に設け、
前記側部装飾体を、
前記扉装飾体の幅方向全長に応じて、該側部装飾体の連結側端部外面が前記中央装飾体の連結側端部外面に対して段差無く幅方向に連なる取付け位置となるように可変調節可能に設けた
自動販売機用の扉装飾体。
【請求項２】
前記側部装飾体を、
前記中央装飾体の連結側端部に対して前記幅方向と直交する上下方向に上下移動可能に設けるとともに、
前記扉装飾体の幅方向全長に応じて、該側部装飾体の連結側端部上面を前記中央装飾体の連結側端部上面に対して段差無く幅方向に連なる高さ位置となるように上下調節可能に設けた
請求項１に記載の自動販売機用の扉装飾体。
【請求項３】
前記側部装飾体を、
前記中央装飾体の連結側端部に対して前記幅方向と直交する前後方向に前後移動可能に設けるとともに、
前記扉装飾体の幅方向全長に応じて、該側部装飾体の連結側端部正面を前記中央装飾体の連結側端部正面に対して段差無く幅方向に連なる前後位置となるように前後調節可能に設けた
請求項１又は２に記載の自動販売機用の扉装飾体。
【請求項４】
前記側部装飾体を、
前記中央装飾体の幅方向一端側に連結される一端側装飾体と、該中央装飾体の幅方向他端側に連結される他端側装飾体とで構成し、
前記一端側装飾体、及び前記他端側装飾体のうち少なくとも一方の装飾体を、前記中央装飾体の連結側端部に対して段差無く幅方向に連なる取付け位置となるように可変調節可能に設けた
請求項１〜３のいずれか一つに記載の自動販売機用の扉装飾体。
【請求項５】
前記中央装飾体と前記側部装飾体との連結側端部間に対して該連結側端部間を覆うように取り付けられる端部カバーを備え、
前記端部カバーを、
前記扉装飾体の幅方向全長に応じて、前記中央装飾体及び前記側部装飾体の連結側端部外面と段差無く幅方向に連なる外面形状に形成され、該連結側端部間を覆う大きさ、形状、及び横幅に形成した複数の端部カバーで構成した
請求項１〜４のいずれか一つに記載の自動販売機用の扉装飾体。
【請求項６】
前記側部装飾体の背面部分に、
前記側部装飾体の連結側端部背面と前記中央装飾体の連結側端部背面との間に生じる段差と対応する厚みに形成した柔軟性を有する段差解消部材を装着した
請求項１〜５のいずれか一つに記載の自動販売機用の扉装飾体。
【発明の詳細な説明】
【技術分野】
【０００１】
この発明は、例えば、飲料、煙草、菓子等の商品を販売する自動販売機の外扉を装飾するような自動販売機用の扉装飾体に関する。
【背景技術】
【０００２】
昨今、例えば、飲料や煙草等の商品を販売する自動販売機は、商品収納数や設置場所に応じて様々なサイズの機種が数多く設置されているが、自動販売機を製造するメーカーや機種によって、販売機本体、及び外扉の横幅が異なるため、外扉の上部正面に取り付けられる化粧板も、外扉の横幅に対応して複数製作しなければならず、製作コストが高くなる。また、外扉の横幅が異なる機種が増えるほど、化粧板の枚数も多くなるので、取り扱い、及び管理が煩わしくなるという問題があった。
【０００３】
上述の化粧板を外扉正面に取り付ける構造としては、例えば、中央側部材と、第１端部側部材と、第２端部側部材とからなる自動販売機用化粧板が提案されている（特許文献１参照）。この自動販売機用化粧板は、第１端部側部材の上部幅方向端部を、中央側部材の幅方向一端に嵌合する。同様に、第２端部側部材の上部幅方向端部を、中央側部材の幅方向他端に嵌合する構成である。
【０００４】
しかし、上述の中央側部材における幅方向両端部の上縁部は、該中央側部材の幅方向中央部から幅方向両端部に向けて徐々に低くなる曲線に形成しているので、化粧板全体を外扉と対応する横幅に変更する際、第１、及び第２端部側部材を、外扉の上部に沿って一定高さに維持したまま幅方向へ水平移動すると、中央側部材の上縁部と、第１、及び第２端部側部材の上縁部との間に段差が生じるだけでなく、化粧板全体の横幅が長くなるほど段差が大きくなるため、正面から見た際の見栄えや体裁が悪くなる。その結果、自動販売機から商品を購入する際、購入者に対して違和感を与えてしまい、購入意欲を低下させてしまう。
【０００５】
また、中央側部材は外扉と対応する横幅に形成しているので、外扉の横幅が異なれば、その外扉と対応する横幅の中央側部材を製作しなければならず、横幅が異なる他の外扉には取り付けることが不可能である。そのため、自動販売機用化粧板を、自動販売機を製造するメーカーや機種によって異なる外扉に対応して複数製作しなければならず、製作コストが高くなる。また、自動販売機用化粧板の組数も多くなるので、運搬に手間が掛かるだけでなく、取り扱い、及び管理が煩わしくなる。
【先行技術文献】
【特許文献】
【０００６】
【特許文献１】特開２００８−２１０８６号公報
【発明の概要】
【発明が解決しようとする課題】
【０００７】
この発明は、自動販売機における外扉の上部に取り付けた際、連結部分の段差が目立ちにくく、外観的な見栄えや体裁が良好で、１つの装飾体で構成されたような一体感、あるいは意匠感を現出することができる自動販売機用の扉装飾体を提供することを目的とする。
【課題を解決するための手段】
【０００８】
この発明は、自動販売機における販売機本体の正面側開口部に対して開閉自在に連結された外扉の上部に取り付けられる自動販売機用の扉装飾体であって、前記扉装飾体を、前記外扉の幅方向上部に配置される中央装飾体と、該中央装飾体の幅方向端部に連結される側部装飾体とで構成し、前記扉装飾体の幅方向全長を、前記外扉の横幅に応じて幅方向に可変調節可能に設け、前記側部装飾体を、前記扉装飾体の幅方向全長に応じて、該側部装飾体の連結側端部外面が前記中央装飾体の連結側端部外面に対して段差無く幅方向に連なる取付け位置となるように可変調節可能に設けたことを特徴とする。
【０００９】
この発明によれば、外観的な見栄えや体裁が良好で、１つの装飾体で構成されたような一体感、あるいは意匠感を現出することができる。  
詳しくは、例えば、扉装飾体における中央装飾体の外面を、該中央装飾体の幅方向中央外面部から幅方向左右外面部に向けて徐々に小さくなるような外観形状に形成した場合、扉装飾体の幅方向全長を外扉と対応して横長に可変調節するほど、中央装飾体の外面を幅方向に延長した外面が徐々に小さくなるので、側部装飾体を外扉の上部に沿って一定高さに維持したまま幅方向へ水平移動すると、側部装飾体の連結側端部外面と、中央装飾体の連結側端部外面との間に段差が生じるだけでなく、扉装飾体の幅方向全長が長くなるほど段差が大きくなるため、外観的な見栄えや体裁が悪くなる。
【００１０】
これに対し、本実施形態の扉装飾体は、該扉装飾体の幅方向全長を外扉と対応する横幅に可変調節する際、側部装飾体を、扉装飾体の幅方向全長に応じて、側部装飾体の連結側端部外面が中央装飾体の連結側端部外面に対して段差無く幅方向に連なる取付け位置に可変調節する。
【００１１】
これにより、中央装飾体と側部装飾体との連結側端部外面に生じる段差が解消され、連結部分の段差が目立ちにくく、側部装飾体を、中央装飾体に対して外面が段差無く幅方向に連なるように連結することができる。  
この結果、自動販売機から商品を購入する際、扉装飾体を見る購入者に対して違和感を与えることを防止でき、外観的な見栄えや体裁が良好で、１つの装飾体で構成されたような一体感、あるいは意匠感を現出することができる。
【００１２】
さらに、自動販売機を製造するメーカーや機種によって外扉の横幅が異なるも、１台の扉装飾体を、複数の外扉と対応する横幅に可変調節して取り付けることができるため、扉装飾体の製作台数が少なくて済むとともに、汎用性の向上、及び製作コストの低減を図ることができる。
【００１３】
この発明の態様として、前記側部装飾体を、前記中央装飾体の連結側端部に対して前記幅方向と直交する上下方向に上下移動可能に設けるとともに、前記扉装飾体の幅方向全長に応じて、該側部装飾体の連結側端部上面を前記中央装飾体の連結側端部上面に対して段差無く幅方向に連なる高さ位置となるように上下調節可能に設けることができる。
【００１４】
この発明によれば、側部装飾体を、中央装飾体の連結側端部に対して上面側が段差無く幅方向に連なるように取り付けることができる。  
詳しくは、例えば、扉装飾体における中央装飾体の上面を、該中央装飾体の幅方向中央上面部から幅方向左右上面部に向けて徐々に低くなるように形成した場合、扉装飾体の幅方向全長を外扉と対応して横長に可変調節するほど、中央装飾体の上面を幅方向に延長した稜線の高さが徐々に低くなる。
【００１５】
つまり、扉装飾体の幅方向全長を外扉と対応する横幅に可変調節する際、側部装飾体を外扉の上部に沿って一定の高さ位置に維持したまま幅方向へ水平移動すると、側部装飾体の連結側端部上面と、中央装飾体の連結側端部上面との間に段差が生じるだけでなく、扉装飾体の幅方向全長が長くなるほど段差が大きくなるため、外観的な見栄えや体裁が悪くなる。
【００１６】
これに対し、本実施形態の扉装飾体は、扉装飾体の幅方向全長を外扉と対応する横幅に可変調節する際、側部装飾体を、扉装飾体の幅方向全長に応じて、側部装飾体の連結側端部上面が中央装飾体の連結側端部上面に対して段差無く幅方向に連なる高さ位置、例えば、上段位置、中段位置、あるいは下段位置等に上下調節する。
【００１７】
これにより、中央装飾体と側部装飾体との連結側端部上面に生じる上下の段差が解消され、側部装飾体を、中央装飾体に対して上面側が段差無く幅方向に連なるように連結することができる。  
この結果、上部装飾体を正面から見た際の上面側の見栄えや体裁が良好となる。
【００１８】
また、この発明の態様として、前記側部装飾体を、前記中央装飾体の連結側端部に対して前記幅方向と直交する前後方向に前後移動可能に設けるとともに、前記扉装飾体の幅方向全長に応じて、該側部装飾体の連結側端部正面が前記中央装飾体の連結側端部正面に対して段差無く幅方向に連なる前後位置となるように前後調節可能に設けることができる。
【００１９】
この発明によれば、側部装飾体を、中央装飾体の連結側端部に対して正面側が段差無く幅方向に連なるように取り付けることができる。  
詳しくは、例えば、扉装飾体における中央装飾体の正面を、該中央装飾体の幅方向中央正面部から幅方向左右正面部に向けて後方に反り返るように形成した場合、扉装飾体の幅方向全長を外扉と対応して横長に可変調節するほど、中央装飾体の正面を幅方向に延長した曲線が後方へ後退する。
【００２０】
つまり、扉装飾体の幅方向全長を外扉と対応する横幅に可変調節する際、側部装飾体を外扉の上部に沿って一定の前後位置に維持したまま幅方向へ水平移動すると、側部装飾体の連結側端部正面と、中央装飾体の連結側端部正面との間に段差が生じるだけでなく、扉装飾体の幅方向全長が長くなるほど段差が大きくなるため、外観的な見栄えや体裁が悪くなる。
【００２１】
これに対し、本実施形態の扉装飾体は、扉装飾体の幅方向全長を外扉と対応する横幅に可変調節する際、側部装飾体を、扉装飾体の幅方向全長に応じて、側部装飾体の連結側端部正面が中央装飾体の連結側端部正面に対して段差無く幅方向に連なる前後位置、例えば、前方位置、後方位置等に可変調節する。
【００２２】
これにより、中央装飾体と側部装飾体との連結側端部正面に生じる前後の段差が解消され、側部装飾体を、中央装飾体に対して正面側が段差無く幅方向に連なるように連結することができる。  
この結果、上部装飾体を正面から見た際の正面側の見栄えや体裁が良好となる。
【００２３】
さらに、中央装飾体と側部装飾体との連結側端部間に生じる上下、及び前後の段差が解消されるので、上部装飾体の外観的な見栄えや体裁がさらに良好なものとなり、意匠性が一段と向上する。  
なお、側部装飾体における前後方向の移動位置は、上述の前方位置、後方位置の２箇所のみに限定されるものではなく、３箇所、４箇所等の複数箇所の位置に前後移動可能に設けてもよい。
【００２４】
また、この発明の態様として、前記側部装飾体を、前記中央装飾体の幅方向一端側に連結される一端側装飾体と、該中央装飾体の幅方向他端側に連結される他端側装飾体とで構成し、前記一端側装飾体、及び前記他端側装飾体の一方又は両方の装飾体を、前記中央装飾体の連結側端部に対して段差無く幅方向に連なる取付け位置となるように可変調節可能に設けることができる。
【００２５】
この発明によれば、特定の外扉のみに限定されることなく、扉装飾体を、外扉と対応する横幅に可変調節して取り付けることができる。  
詳しくは、中央装飾体の幅方向一端側に連結した一端側装飾体と、該中央装飾体の幅方向他端側に連結した他端側装飾体との一方、あるいは両方の装飾体を幅方向に可変調節して、扉装飾体の幅方向全長を外扉と対応する横幅に伸縮調節する。
【００２６】
つまり、一端側装飾体、及び他端側装飾体のいずれか一方のみを可変調節するよりも、扉装飾体全体の可変調節可能な領域が広くなり、様々な横幅を有する外扉に取り付けることができる。  
この結果、自動販売機を製造するメーカーや機種によって外扉の横幅が異なるも、その全ての外扉に取り付けることが可能であり、汎用性がさらに向上する。
【００２７】
また、この発明の態様として、前記中央装飾体と前記側部装飾体との連結側端部間に対して該連結側端部間を覆うように取り付けられる端部カバーを備え、前記端部カバーを、前記扉装飾体の幅方向全長に応じて、前記中央装飾体及び前記側部装飾体の連結側端部外面と段差無く幅方向に連なる外面形状に形成され、該連結側端部間を覆う大きさ、形状、及び横幅に形成した複数の端部カバーで構成することができる。
【００２８】
この発明によれば、扉装飾体における中央装飾体と側部装飾体とを、１つの装飾体で構成されたような一体感、あるいは意匠感を現出することができる。  
詳述すると、扉装飾体の幅方向全長を外扉と対応する横幅に可変調節する際、中央装飾体と側部装飾体との連結側端部間を覆う大きさ、形状、及び横幅に形成した複数の端部カバーの中から、該連結側端部間を覆うのに最適な端部カバーを選択する。その選択した端部カバーを、中央装飾体と側部装飾体との連結側端部間を覆うように取り付ける。  
この結果、外扉の横幅に応じて可変調節された中央装飾体と側部装飾体との連結側端部外面を、端部カバーにて段差無く幅方向に連なるように連結することができる。
【００２９】
また、この発明の態様として、前記側部装飾体の背面部分に、前記側部装飾体の連結側端部背面と前記中央装飾体の連結側端部背面との間に生じる段差と対応する厚みに形成した柔軟性を有する段差解消部材を取り付けることができる。  
この発明によれば、中央装飾体と側部装飾体との連結側端部背面に生じる段差を解消して、側部装飾体を、中央装飾体に対して背面側が段差無く幅方向に連なるように連結することができる。
【００３０】
詳述すると、例えば、側部装飾体を中央装飾体の連結側端部に直接連結した際、側部装飾体の連結側端部背面と中央装飾体の連結側端部背面との間に段差が生じても、側部装飾体の背面部分に取り付けた段差解消部材が、外扉の上部正面に対して密着した状態に押付けられるので、側部装飾体と中央装飾体との連結側端部背面に生じる段差が解消されるとともに、側部装飾体を外扉の上部正面に対してガタツキ無く安定した状態に取り付けることができる。  
上記段差解消部材は、例えば、ウレタンゴム、スポンジゴム等の柔軟性を有する材質で構成することができる。
【発明の効果】
【００３１】
この発明によれば、自動販売機における外扉の上部に取り付けた際、連結部分の段差が目立ちにくく、外観的な見栄えや体裁が良好で、１つの装飾体で構成されたような一体感、あるいは意匠感を現出することができる自動販売機用の扉装飾体を提供することができる。
【図面の簡単な説明】
【００３２】
【図１】自動販売機用扉装飾体を外扉に取り付けた自動販売機の正面図。
【図２】扉装飾体を分離した状態の正面図。
【図３】上部装飾体を分離した状態の正面図。
【図４】上部装飾体の各パーツ、及びカバーを連結した状態の背面図。
【図５】上部装飾体を外扉上部に取り付ける状態の背面図。
【図６】上部装飾体の中央パーツ、及び側部パーツを分離した状態の背面図。
【図７】矩形パーツの上下調節構造についての説明図。
【図８】矩形パーツの前後調節構造についての説明図。
【図９】矩形パーツを中央パーツに連結した状態の背面図。
【図１０】係止孔、及び係止爪によるカバー取付け構造についての説明図。
【図１１】止めピンによる前面カバーの取付け構造についての説明図。
【図１２】止めピンによる固定方法、及び解除方法についての説明図。
【図１３】長尺装飾体の上端部取付け構造についての説明図。
【図１４】長尺装飾体の下端部取付け構造についての説明図。
【図１５】長尺装飾体の中央部取付け構造についての説明図。
【図１６】短尺装飾体の取付け構造についての説明図。
【図１７】短尺装飾体の取付けに用いられる側部金具の斜視図。
【図１８】側部金具の取付け構造の斜視図。
【図１９】側部金具による短尺装飾体の取付け状態についての説明図。
【図２０】上部装飾体の側部パーツをスライド可能に連結した状態の背面図。
【発明を実施するための形態】
【００３３】
この発明の一実施形態を以下図面に基づいて詳述する。  
図１は自動販売機用扉装飾体２０１を外扉１００ａに取り付けた自動販売機１００の正面図、図２は扉装飾体２０１を分離した状態の正面図である。
【００３４】
本実施形態の自動販売機用扉装飾体２０１は、図１、図２に示すように、自動販売機１００における外扉１００ａの上部正面に取り付けられる横長形状の上部装飾体２０２と、外扉１００ａの正面から見て幅方向左端正面に取り付けられる縦長形状の長尺装飾体２０３と、外扉１００ａの幅方向右端正面に取り付けられる幅広形状の短尺装飾体２０４と、外扉１００ａの下部正面に取り付けられる下部装飾体２０５とで構成している。
【００３５】
扉装飾体２０１を正面から見た外観形状は、扉装飾体２０１の上面側を、該扉装飾体２０１の幅方向中央上面部から幅方向左右上面部に向けて徐々に低くなる滑らかな曲面に形成している。  
さらに、扉装飾体２０１の正面側を、扉装飾体２０１の幅方向中央正面部から幅方向左右正面部に向けて徐々に後方に反り返った滑らかな曲面に形成している。
【００３６】
自動販売機１００は、例えば、缶型、瓶型、ボトル型、箱型、袋型等の商品を販売するものであり、略箱形状で内部に飲料などの商品を多数収納している正面側が開口された販売機本体１００ｂと、販売機本体１００ｂの正面と同じ大きさで正面側開口部を開閉する外扉１００ａとを備えている。
【００３７】
外扉１００ａの幅方向左端部は、販売機本体１００ｂの幅方向左端部（正面から見て左端）に対してヒンジ１０７にて左右開閉自在に連結している。また、外扉１００ａの上部正面には、自動販売機１００が取り扱う商品に酷似した商品見本と、該商品見本に対応する商品選択ボタンとを備えた商品展示部１０８を設けている。
【００３８】
さらに、商品展示部１０８の下方右側で、外扉１００ａの中央部右側正面には、紙幣を投入する紙幣投入口と、硬貨を投入する硬貨投入口と、カードを投入するガード投入口とを備えた精算部１０９と、外扉１００ａを閉状態に施錠するための施錠部１１０とを設けている。
【００３９】
商品展示部１０８の下方左側で、外扉１００ａの中央部左側正面には、上記商品に関連した広告情報が印刷されたポスターやパネル等の広告物を展示するための広告表示部１１１を設けている。
【００４０】
広告表示部１１１の下方で、外扉１００ａの下部正面には、購入した商品を取り出すための商品取出口１１２を設けている。その商品取出口１１２の右側正面には、お釣りの硬貨を返却するための硬貨返却口１１３を設けている。
【００４１】
次に、上述した上部装飾体２０２の取付け構造について説明する。  
図３は上部装飾体２０２を分離した状態の正面図、図４は上部装飾体２０２の中央パーツ１３０、側部パーツ１４０、及び端部カバー１５１，１５２を連結した状態の背面図、図５は上部装飾体２０２を外扉１００ａ上部に取り付ける状態の背面図、図６は上部装飾体２０２の中央パーツ１３０、及び側部パーツ１４０を分離した状態の背面図である。
【００４２】
上部装飾体２０２は、図３〜図６に示すように、外扉１００ａの上部正面が覆われる大きさ、形状、及び横幅に形成され、外扉１００ａの幅方向上部に配置される中央パーツ１３０と、中央パーツ１３０の左右端部に連結される左右一対の側部パーツ１４０とで構成している。
【００４３】
中央パーツ１３０は、外扉１００ａの上部平面に固定される取付け板２１と、取付け板２１の前面を覆うように取り付けられる成形体２２と、成形体２２の上面、前面、及び下面を覆うように取り付けられる前面カバー２３と、成形体２２と前面カバー２３との間に挟み込まれるロゴ表示体３０、広告表示体４０で構成している。
【００４４】
なお、取付け板２１と成形体２２との間には、上述のロゴ表示体３０、広告表示体４０を発光、点滅したり、あるいは、自動販売機１００が販売する商品に関連した広告情報を表示するための導光板ＬＥＤユニット１７０を組付け可能に設けている（図６に示す二点鎖線参照）。
【００４５】
また、上述の上部装飾体２０２、長尺装飾体２０３、短尺装飾体２０４、及び下部装飾体２０５における正面側に露出する部分と、成形体２２、前面カバー２３、ロゴ表示体３０、及び広告表示体４０は、例えば、ポリカーボネード、アクリル、ポリアセタール、ポリプロピレン、ポリエチレン、ポリエステル、アクリル等の耐候性を備えたプラスチックで構成している。
【００４６】
取付け板２１は、外扉１００ａの前側上部平面に載置される金属製の載置板２１ａと、載置板２１ａの後端側を上方に向けて垂直に折り曲げて形成した起立板２１ｂと、該載置板２１ａの前端側を下方に向けて垂直に折り曲げて形成した垂下板２１ｃとで構成している。  
起立板２１ｂの背面側中央部には、外扉１００ａの後側上部に固定された取付け金具２４と対応して、該取付け金具２４が係止される横断面略コ字状の受け板２５をねじ２６で固定している。
【００４７】
取付け金具２４は、外扉１００ａの後側上部に対して載置される水平板２４ａと、水平板２４ａの前端側を上方に向けて垂直に折り曲げて形成した起立板２４ｂと、水平片２４ａの前端側を下方に向けて垂直に折り曲げて形成した垂下板２４ｃとで構成している（図５参照）。
【００４８】
取付け金具２４の水平板２４ａを外扉１００ａの後側上部に載置した後、垂下板２４ｃに形成した孔部２４ｄを介して、垂下板２４ｃを外扉１００ａの後側上部背面に対してねじ２６にて固定する。
【００４９】
上述した中央パーツ１３０を外扉１００ａの幅方向上部に固定する場合、取付け金具２４を外扉１００ａの後側上部に予め固定しておき、取付け板２１における起立板２１ｂの受け板２５に、外扉１００ａの後側上部に固定した取付け金具２４の起立片２４ｂを下方から差し込んで、取付け板２１の載置板２１ａを外扉１００ａの前側上部に水平載置する。
【００５０】
この後、ねじ２６を、起立片２４ｂに形成した孔部２４ｄを介して、受け板２５に形成した孔部２５ｄに螺合することにより、取付け板２１の起立板２１ｂと取付け金具２４の起立片２４ｂとを固定する。  
すなわち、中央パーツ１３０に取り付けられた取付け板２１を外扉１００ａの幅方向上部に固定することにより、中央パーツ１３０を外扉１００ａの上部正面に取り付けることができる（図１、図５参照）。
【００５１】
成形体２２は、取付け板２１の前面全体（前面、上下面、及び両側面）を覆う大きさ、及び形状に形成している。また、成形体２２の前面側中央部には、後述するロゴ表示体３０、及び広告表示体４０を前後に重ね合わせて収容することが可能な凹状の収容部２２ａを形成している（図３参照）。
【００５２】
収容部２２ａの両側前面には、ロゴ表示体３０の両側縁部に形成した係止溝３０ａと対応して、広告表示体４０の両側縁部に連設した係止片４０ａの差し込みが許容される凹状の受け部２２ａＺを形成している。
【００５３】
次に、上述した成形体２２とて前面カバー２３との取付け構造について説明する。  
図１０は係止孔２２ｄ、及び係止爪２３ｂによるカバー取付け構造についての説明図であり、詳しくは、図１０（ａ）は係止爪２３ｂを係止孔２２ｄに係止する直前の拡大平面図、図１０（ｂ）は係止爪２３ｂを係止孔２２ｄに係止した状態の拡大平面図である。
【００５４】
成形体２２の上端側後縁部は、取付け板２１における起立板２１ｂの上端側前縁部を覆う大きさ、及び形状に形成している。その上端側後縁部には、後述する前面カバー２３の係止爪２３ｂが後方より係止される係止孔２２ｄを所定間隔に隔てて形成している。  
さらにまた、係止孔２２ｄは、成形体２２の上端側後縁部を上方に向けて凸状に変形して、係止爪２３ｂの後方から係止される許容される形状に形成している（図１０（ａ）（ｂ）参照）。
【００５５】
成形体２２の下端側後縁部は、取付け板２１における垂下板２１ｃの下端側前縁部を覆う大きさ、及び形状に形成している。また、成形体２２の下端側後縁部には、後述する止めピン２７が抜止めされる丸形状の止め孔２２ｅを形成している。
【００５６】
止め孔２２ｅは、後述する止めピン２７の上側部材２８の上端側係止部２８ｂよりも大径に形成され、該係止部２８ｂが垂直方向に対して挿入が許容される大きさ、及び形状に形成している。また、止め孔２２ｅの対向縁部には、係止部２８ｂの対向外周面に突出した一対の突出片２８ｃの通過が許容される溝部２２ｆを形成している。  
さらにまた、止め孔２２ｅの上面側対向縁部には、突出片２８ｃの先端側下面に突出した凸部２８ｄが係合される凹部２２ｇを形成している（図１１、図１２参照）。
【００５７】
上述の成形体２２を取付け板２１に固定する場合、成形体２２を、取付け板２１の正面に対して該正面全体を覆われるように装着した後、成形体２２の上端側後縁部を、取付け板２１の起立板２１ｂの上端側前縁部を覆うように被せてねじ止めする。
【００５８】
また、成形体２２の下端側後縁部を、取付け板２１の垂下板２１ｃの下端側前縁部を覆うように被せるとともに、成形体２２の下端側後縁部にねじ止めした縦断面略Ｌ字状の係止板２２ｈを、商品展示部１０８の正面から見て中央上縁部に形成した切欠き部１０８ａに係止して固定する（図１参照）。
【００５９】
上述のロゴ表示体３０と広告表示体４０は、収容部２２ａよりも一回り小さく、該収容部２２ａに対して収容が許容される大きさ、及び形状に形成している。また、ロゴ表示体３０の前面には、ロゴ情報の一例として「○○Ｄｒｉｎｋ」を表示している。また、広告表示体４０の前面には、広告情報の一例として「△△Ｃｏｆｆｅｅ」を表示している（図３参照）。
【００６０】
収容部２２ａの中央面には、ロゴ情報の一例である「○○Ｄｒｉｎｋ」が印刷された表面を外扉１００ａの正面と対応する方向に向けて、プレート状のロゴ表示体３０を図示しない両面粘着テープで貼着している。  
なお、両面粘着テープに代えて、例えば、接着剤、ねじ等の固定手段にて固定してもよい。
【００６１】
前面カバー２３は、成形体２２の前面全体（前面、上下面、及び両側面）を覆う大きさ、及び形状に形成している。また、前面カバー２３の前面側中央部には、成形体２２の収容部２２ａと対応して該収容部２２ａに収容されたロゴ表示体３０のロゴ情報或いは広告表示体４０の広告情報の読み取りが許容される透明な窓部２３ａを形成している（図３参照）。
【００６２】
また、前面カバー２３の上端側後縁部には、成形体２２の係止孔２２ｄに対して後方より係止される係止爪２３ｂを所定間隔に隔てて形成している（図１０参照）。また、前面カバー２３の下端側後縁部には、成形体２２の止め孔２２ｅに対して係止される止めピン２７を取り付けている（図１１、図１２参照）。
【００６３】
また、前面カバー２３の背面には、柔軟性を有する合成ゴム製のパッキン２３ｄを、収容部２２ａの上側縁部、及び両側縁部と対向と対向して装着している。また、収容部２２ａの下側縁部と対応するパッキン２３ｄの両側下端部間には、該収容部２２ａの内部と外部を連通する通路２３ｅを形成している。
【００６４】
次に、上述した中央パーツ１３０の取付け構造に続いて、側部パーツ１４０における矩形パーツ１４１，１４２の取付け構造について説明する。  
図７は矩形パーツ１４２の上下調節構造についての説明図であり、詳しくは、図７（ａ）は矩形パーツ１４２を上段高さに調節した状態の背面図、図７（ｂ）は矩形パーツ１４２を中段高さに調節した状態の背面図、図７（ｃ）は矩形パーツ１４２を下段高さに調節した状態の背面図である。
【００６５】
図８は矩形パーツ１４２の前後調節構造についての説明図であり、詳しくは、図８（ａ）は矩形パーツ１４２を前方位置に取付けた状態の平面図、図８（ｂ）（ｃ）は矩形パーツ１４２を後方位置に取付けた状態の平面図である。  
図９は矩形パーツ１４１，１４２を中央パーツ１３０に連結した状態の背面図である。
【００６６】
側部パーツ１４０は、上述した中央パーツ１３０における前面カバー２３の正面から見て左右の連結側端部外面と段差無く幅方向Ｘに連なる外観形状に形成した左右の矩形パーツ１４１，１４２と、中央パーツ１３０と矩形パーツ１４１，１４２との連結側端部間を覆う大きさ、形状、及び横幅に形成した左右の端部カバー１５１，１５２で構成している。
【００６７】
矩形パーツ１４２の正面から見て左側の連結側端部は、中央パーツ１３０における前面カバー２３の正面から見て右側の連結側端部に対して段差無く幅方向Ｘに連なる大きさ、及び形状に形成している。  
矩形パーツ１４２の連結側端部上面は、前面カバー２３の連結側端部上面と段差無く幅方向Ｘに連なる滑らかな曲面に形成している。さらに、矩形パーツ１４２の連結側端部正面も、前面カバー２３の連結側端部正面に対して段差無く幅方向Ｘに連なる滑らかな曲面に形成している。
【００６８】
さらに、端部カバー１５１，１５２の上面、及び正面も、前面カバー２３、及び矩形パーツ１４２の連結側端部に対して段差無く幅方向Ｘに連なる滑らかな曲面に形成している。  
端部カバー１５１，１５２は、外扉１００ａの横幅に応じて可変調節される中央パーツ１３０と矩形パーツ１４２との連結側端部間を覆う大きさ、形状、及び横幅に形成した端部カバー１５１，１５２で構成している（図７（ｂ）（ｃ）参照）。
【００６９】
なお、矩形パーツ１４１の連結側端部も、中央パーツ１３０における前面カバー２３の連結側端部と段差無く幅方向Ｘに連なる大きさ、及び形状に形成してもよい。  
また、矩形パーツ１４１，１４２の背面側に、上述した導光板ＬＥＤユニット１７０のような照光装置、あるいは、発光装置を組み付けてもよい。
【００７０】
矩形パーツ１４１，１４２の背面側には、連結板１４１ａ，１４２ａの一端側をねじ２６で固定している。また、矩形パーツ１４１，１４２の連結側端部より幅方向Ｘに延びる連結板１４１ａ，１４２ａの他端側には、ねじ２６が螺合されるねじ孔１４１ｂ，１４２ｂを、連結板１４１ａ，１４２ａに沿って所定間隔を隔てて複数配置している。
【００７１】
上部装飾体２０２を外扉１００ａの上部正面に取り付ける場合、上部装飾体２０２の幅方向全長を、例えば、１０２０ｍｍ、１１６０ｍｍ、１１８０ｍｍ、１３２０ｍｍ、１３８０ｍｍ等の横幅を有する外扉１００ａに応じて段階的に可変調節するので、矩形パーツ１４１，１４２の連結板１４１ａ，１４２ａを、外扉１００ａの横幅に対応して中央パーツ１３０の取付け板２１に対する取り付け位置を段階的に変更する必要がある。
【００７２】
したがって、矩形パーツ１４１，１４２の中央パーツ１３０に対する取り付け位置を幅方向Ｙに対して段階的に変更できるように、ねじ孔１４１ｂ，１４２ｂを、連結板１４１ａ，１４２ａに沿って所定間隔に隔てて複数配置している。  
なお、取付け金具２４の左右背面には、ねじ２６が螺合されるねじ孔２１ｅを、上述したねじ孔１４１ｂ，１４２ｂと対応して所定間隔に隔てて複数配置している（図６（ａ）参照）。
【００７３】
上述した矩形パーツ１４２の背面側には、可動板１４３と支持板１４４とを前後方向Ｚに重ね合わせて取り付けている。  
可動板１４３は、矩形パーツ１４２の背面側に対してねじ２６で一体に固定している。また、支持板１４４は、可動板１４３の背面側に対してねじ２６で上下動可能に取り付けている。
【００７４】
可動板１４３の一側縁部には、支持板１４４の一側縁部に係止される断面Ｌ字状の支持片１４３ａを形成している。支持片１４３ａには、ねじ２６が挿通される長孔１４３ｂを上下方向Ｙに形成している。また、支持板１４４の上側縁部、及び他側縁部には、ねじ２６が挿通される長孔１４４ａを上下方向Ｙに形成している。
【００７５】
上述した支持板１４４を可動板１４３に取り付ける場合、ねじ２６を、可動板１４３における支持片１４３ａの長孔１４３ｂを介して支持板１４４に螺合する。さらに、ねじ２６を、支持板１４４の長孔１４４ａを介して可動板１４３に螺合する。これにより、可動板１４３を支持板１４４に沿って上下方向Ｙに対して移動可能に取り付けている。
【００７６】
支持板１４４の上端側平面部には、連結板１４２ａの一端側が差し込まれる断面略コ字状の差込み部１４５を幅方向Ｘに形成している（図７、図８参照）。  
差込み部１４５における連結側端部に寄った幅方向Ｘの一端側平面部と、該連結側端部と反対側の幅方向Ｘの他端側先端部には、差込み部１４５に差し込まれた連結板１４２ａの差込み側端部に対して係止される方向に向けて係止爪１４６を形成している。
【００７７】
係止爪１４６は、差込み部１４５の一端側、及び他端側を、前後方向Ｚと平行して上部装飾体２０２の正面と対応する正面方向に向けて折り曲げた後、その折曲げ側端部を、幅方向Ｘと平行して連結側端部と反対側の方向に向けて断面略Ｌ字状に折り曲げて形成している。  
差込み部１４５における係止爪１４６の基端側には、ねじ孔１４５ａを形成している。また、差込み部１４５の係止爪１４６には、ねじ孔１４６ａを形成している。
【００７８】
連結板１４２ａにおける差込み側端部の差込み部１４５と対向する部分には、ねじ孔１４２ｄを差込み部１４５のねじ孔１４５ａと対向して形成している。また、連結板１４２ａにおける差込み側端部の係止爪１４６と対向する部分には、ねじ孔１４２ｃを係止爪１４６のねじ孔１４６ａと対向して形成している。
【００７９】
連結板１４２ａの差込み側端部には、差込み部１４５の係止爪１４６が係止される係止孔１４７を、該係止爪１４６の係止が許容される間隔を隔てて幅方向Ｘに２箇所配置している。
【００８０】
係止爪１４６の正面側に突出した突出寸法ｈは、上部装飾体２０２の幅方向全長を、外扉１００ａの横幅と対応して最大幅（例えば、１３８０ｍｍ）に可変調節した際、中央パーツ１３０の連結側端部正面と、矩形パーツ１４２の連結側端部正面との間に生じる前後方向Ｚの段差が解消される寸法に設定している（図８（ａ）参照）。
【００８１】
上述した連結板１４２ａの差込み側端部を支持板１４４の差込み部１４５に固定する場合、連結板１４２ａの差込み側端部を支持板１４４の差込み部１４５に押し付けて、連結板１４２ａのねじ孔１４２ｄと差込み部１４５のねじ孔１４５ａとにねじ２６を螺合して固定する。  
これにより、矩形パーツ１４２の全体を、係止爪１４６の突出寸法ｈだけ前後方向Ｚと平行して前方へ移動した前方位置に取付けることができる（図８（ａ）参照）。
【００８２】
また、ねじ２６による固定を解除して、矩形パーツ１４２の全体を、係止爪１４６の突出寸法ｈだけ前後方向Ｚと平行して後方へ移動させ、支持板１４４の係止爪１４６を連結板１４２ａの差込み側端部に押し付けた後、連結板１４２ａのねじ孔１４２ｃと係止爪１４６のねじ孔１４６ａとにねじ２６を螺合して固定する。  
これにより、矩形パーツ１４２の全体を、係止爪１４６の突出寸法ｈだけ前後方向Ｚと平行して後方へ移動した後方位置に取付けることができる（図８（ｂ）（ｃ）参照）。
【００８３】
連結板１４１ａ，１４２ａの背面側中央部には、外扉１００ａの後側上部に固定される取付け金具２４と対応して、該取付け金具２４が係止される横断面略コ字状の受け板２５をねじ２６で固定している。
【００８４】
上述した矩形パーツ１４１，１４２を外扉１００ａに固定する場合、中央パーツ１３０の幅方向左右端部に連結した状態において、矩形パーツ１４１，１４２の連結板１４１ａ，１４２ａに固定した起立板２１ｂの受け板２５に、外扉１００ａの後側上部に固定した取付け金具２４の起立片２４ｂを下方から差し込んだ後、取付け板２１の起立板２１ｂと取付け金具２４の起立片２４ｂとをねじ２６で固定する。  
これにより、中央パーツ１３０の幅方向左右端部に連結された矩形パーツ１４１，１４２を、外扉１００ａの左右上部に固定することができる。
【００８５】
矩形パーツ１４１，１４２、及び端部カバー１５１，１５２における成形体２２の幅方向左右端部と対応する一端側には、成形体２２の幅方向左右端部に対して係合される突出片１５３，１５４をそれぞれ突出している（図３参照）。
【００８６】
次に、上述した上部装飾体２０２の幅方向全長を、自動販売機１００における外扉１００ａと対応する横幅に可変調節する方法を説明する。  
先ず、上部装飾体２０２の幅方向全長を、図９に示す横幅サイズ（例えば、１０２０ｍｍ）から図４に示す横幅サイズ（例えば、１１６０ｍｍ）の外扉１００ａと対応する横幅に可変調節する場合、上部装飾体２０２における中央パーツ１３０と矩形パーツ１４１，１４２とを連結するねじ２６による固定を解除して、矩形パーツ１４１，１４２の連結板１４１ａ，１４２ａを、中央パーツ１３０の取付け板２１から一旦分離する。
【００８７】
再び、矩形パーツ１４１，１４２の連結板１４１ａ，１４２ａを、中央パーツ１３０の取付け板２１に連結する際、外扉１００ａの横幅サイズ（例えば、１１６０ｍｍ）と対応して設けた連結板１４１ａ，１４２ａのねじ孔１４１ｂ，１４２ｂと、取付け板２１に設けたねじ孔２１ｅとを連通した後、ねじ２６を、ねじ孔１４１ｂ，１４２ｂを介してねじ孔２１ｅに螺合することにより、矩形パーツ１４１，１４２を中央パーツ１３０の左右端部に対して締付け固定する。  
これにより、上部装飾体２０２の幅方向全長を、図４に示す横幅サイズの外扉１００ａと対応する横幅に可変調節することができる。
【００８８】
なお、矩形パーツ１４１，１４２、及び端部カバー１５１，１５２をねじ２６で固定する際、受け板２５によってねじ２６の着脱が行いにくければ、受け板２５を外してから、ねじ２６の着脱を行う。
【００８９】
上部装飾体２０２の幅方向全長を外扉１００ａと対応する横幅に可変調節する際、外扉１００ａの横幅に応じて可変調節される中央パーツ１３０と矩形パーツ１４２との連結側端部間を覆う大きさ、形状、及び横幅に形成した幅狭サイズ、幅広サイズの端部カバー１５１，１５２の中から、該連結側端部間を覆うのに最適な横幅サイズの端部カバーを選択する。
【００９０】
その選択した端部カバー１５１，１５２を、中央パーツ１３０から分離した矩形パーツ１４１，１４２の連結側端部に固定して、中央パーツ１３０と矩形パーツ１４２との連結側端部間を覆うように取り付ける（図７（ｂ）（ｃ）参照）。
【００９１】
しかし、中央パーツ１３０における前面カバー２３の上面を、該前面カバー２３の幅方向中央上面部から幅方向左右上面部に向けて徐々に低くなる滑らかな曲面に形成しているので、上部装飾体２０２の幅方向全長が長くなるほど、前面カバー２３の上面を幅方向Ｙに延長した稜線の高さが徐々に低くなる。
【００９２】
つまり、外扉１００ａと対応する横幅に可変調節する際、矩形パーツ１４２を一定高さに維持したまま幅方向Ｙへ水平移動すると、中央パーツ１３０の連結側端部上面と、矩形パーツ１４２の連結側端部上面との間に段差が生じるだけでなく、上部装飾体２０２の幅方向全長が長くなるほど段差が大きくなる。
【００９３】
これに対し、本実施形態の上部装飾体２０２は、上部装飾体２０２の幅方向全長に応じて、矩形パーツ１４２を、該矩形パーツ１４２の連結側端部上面が中央パーツ１３０の連結側端部上面に沿って段差無く幅方向Ｘに連なるように上下方向Ｙに高さ調節して取り付けることで、段差を解消することができる。
【００９４】
すなわち、ねじ２６による固定を解除した後、矩形パーツ１４２全体を上下方向Ｙに移動させ、矩形パーツ１４２の連結側端部上面を、中央パーツ１３０における前面カバー２３の連結側端部上面を基準として、前面カバー２３の連結側端部上面に沿って滑らかな曲線にて段差無く幅方向Ｘに連なるように高さ位置を上下方向Ｙに調節する。この後、矩形パーツ１４２を所望の高さ位置に取り付けたまま、再びねじ２６により締付け固定する。
【００９５】
上部装飾体２０２の幅方向全長を、外扉１００ａと対応する横幅（例えば、１０２０ｍｍ）に可変調節する際、矩形パーツ１４２の高さ位置を上段位置に上下調節して、図中二点鎖線で示す中央パーツ１３０の連結側端部に連結固定する（図７（ａ）参照）。
【００９６】
また、外扉１００ａと対応する横幅（例えば、１１６０ｍｍ）に可変調節する際、矩形パーツ１４２を中段の高さ位置に上下調節するとともに、１１６０ｍｍ用の端部カバー１５２を介して、中央パーツ１３０の連結側端部に連結固定する（図７（ｂ）参照）。
【００９７】
さらに、外扉１００ａと対応する横幅（例えば、１１８０ｍｍ、１３８０ｍｍ）に可変調節する際、矩形パーツ１４２を下段の高さ位置に上下調節するとともに、１１８０ｍｍ用や１３８０ｍｍ用の端部カバー１５２を介して、中央パーツ１３０の連結側端部に連結固定する（図７（ｃ）参照）。  
これにより、矩形パーツ１４２を、該矩形パーツ１４２の連結側端部上面が中央パーツ１３０における前面カバー２３の連結側端部上面に沿って段差無く幅方向Ｘに連なる状態に取り付けることができる。
【００９８】
また、中央パーツ１３０における前面カバー２３の正面を、該前面カバー２３の幅方向中央正面部から幅方向左右正面部に向けて後方に反り返った滑らかな曲面に形成しているので、上部装飾体２０２の幅方向全長が外扉１００ａの横幅と対応して長くなるほど、前面カバー２３の正面を幅方向Ｙに延長した曲線が後方へ後退する。
【００９９】
つまり、外扉１００ａと対応する横幅に可変調節する際、矩形パーツ１４２を一定の前後位置に維持したまま幅方向Ｙへ水平移動すると、中央パーツ１３０の連結側端部正面と、矩形パーツ１４２の連結側端部正面との間に段差が生じるだけでなく、上部装飾体２０２の幅方向全長が長くなるほど段差が大きくなる。
【０１００】
これに対し、本実施形態の上部装飾体２０２は、上部装飾体２０２の幅方向全長に応じて、矩形パーツ１４２を、該矩形パーツ１４２の連結側端部正面が中央パーツ１３０の連結側端部正面に沿って段差無く幅方向Ｘに連なるように前後方向Ｚに前後調節して取り付けることで、段差を解消することができる。
【０１０１】
すなわち、ねじ２６による固定を解除した後、矩形パーツ１４２全体を前後方向Ｚに移動させ、矩形パーツ１４２の連結側端部正面を、中央パーツ１３０における前面カバー２３の連結側端部正面を基準として、前面カバー２３の連結側端部正面に沿って滑らかな曲線にて段差無く幅方向Ｘに連なるように取付け位置を前後方向Ｚに調節する。この後、矩形パーツ１４２を所望の前後位置に取り付けたまま、再びねじ２６により締付け固定する。
【０１０２】
上部装飾体２０２の幅方向全長を、外扉１００ａと対応する横幅（例えば、１０２０ｍｍ）に可変調節する際、矩形パーツ１４２を突出寸法ｈだけ前後方向Ｚと平行して前方位置へ移動して、中央パーツ１３０の連結側端部に連結固定する（図８（ａ）参照）。
【０１０３】
また、外扉１００ａと対応する横幅（例えば、１１６０ｍｍ）に可変調節する場合、矩形パーツ１４２を突出寸法ｈだけ前後方向Ｚと平行して後方位置へ移動するとともに、１１６０ｍｍ用の端部カバー１５２を介して、中央パーツ１３０の連結側端部に連結固定する（図８（ｂ）参照）。
【０１０４】
さらに、外扉１００ａと対応する横幅（例えば、１１８０ｍｍ、１３８０ｍｍ）に可変調節する場合、矩形パーツ１４２を突出寸法ｈだけ前後方向Ｚと平行して後方位置へ移動するとともに、１１８０ｍｍ用や１３８０ｍｍ用の端部カバー１５２を介して、中央パーツ１３０の連結側端部に連結固定する（図８（ｃ）参照）。  
これにより、矩形パーツ１４２を、該矩形パーツ１４２の連結側端部正面が中央パーツ１３０における前面カバー２３の連結側端部正面に沿って段差無く幅方向Ｘに連なる状態に取り付けることができる。
【０１０５】
上述のように、上部装飾体２０２における中央パーツ１３０の正面から見て幅方向右端部に連結した矩形パーツ１４２を上下方向Ｙ、及び前後方向Ｚに移動させ、矩形パーツ１４２の連結側端部上面、及び正面を、中央パーツ１３０の連結側端部上面、及び正面に沿って段差無く幅方向Ｘに連なる状態に取り付けることができる。
【０１０６】
この結果、中央パーツ１３０の連結側端部と、矩形パーツ１４２の連結側端部との間に生じる上下、及び前後の段差が解消されるため、連結部分の段差が目立ちにくく、自動販売機１００から商品を購入する際、上部装飾体２０２を見る購入者に対して違和感を与えることを防止できる。  
しかも、上部装飾体２０２の外観的な見栄えや体裁が良好で、上部装飾体２０２の全体が、１つの装飾体で構成されたような一体感、あるいは意匠感を現出することができる。
【０１０７】
さらに、自動販売機１００を製造するメーカーや機種によって外扉１００ａの横幅が異なるも、１台の上部装飾体２０２を、複数の外扉１００ａと対応する横幅に可変調節して取り付けることができるため、上部装飾体２０２の製作台数が少なくて済むとともに、汎用性の向上、及び製作コストの低減を図ることができる。
【０１０８】
さらにまた、側部パーツ１４０の矩形パーツ１４１，１４２を幅方向Ｘに可変調節するので、上部装飾体２０２の左右両端のいずれか一方を可変調節するよりも、上部装飾体２０２の可変可能な領域が広くなり、様々な横幅サイズの外扉１００ａに取り付けることができる。  
これにより、特定の外扉１００ａのみに限定されることなく、上部装飾体２０２を、例えば、幅狭型や幅広型等の様々な横幅サイズの外扉１００ａに取り付けることができる。
【０１０９】
さらにまた、上部装飾体２０２の幅方向全長を可変調節した際、複数の端部カバー１５１，１５２の中から選択した端部カバーを、中央パーツ１３０と矩形パーツ１４２との連結側端部間が覆われるように取り付けるので、中央パーツ１３０と矩形パーツ１４２との連結側端部間を、端部カバー１５１，１５２にて段差無く幅方向Ｘに連なるように連結することができ、上部装飾体２０２の全体が、１つの装飾体で構成されたような一体感、あるいは意匠感を現出することができる。
【０１１０】
加えて、矩形パーツ１４２の背面側角隅部には、該背面側角隅部を成す二辺に沿って、中央パーツ１３０の連結側端部背面と矩形パーツ１４２との連結側端部背面との間に生じる段差と対応する厚みに形成した段差解消部材１８０を装着している。
【０１１１】
段差解消部材１８０は、例えば、ウレタンゴム、スポンジゴム等の柔軟性を有する材質で構成しているので、矩形パーツ１４２を中央パーツ１３０の連結側端部に直接連結して、上部装飾体２０２の幅方向全長を、図９に示す横幅サイズ（例えば、１０２０ｍｍ）に可変調節して外扉１００ａの上部正面に取り付けた際、段差解消部材１８０が、外扉１００ａの正面から見て右側上部正面に対して密着した状態に押付けられる。
【０１１２】
これにより、中央パーツ１３０と矩形パーツ１４２との連結側端部背面に生じる段差が解消されるとともに、矩形パーツ１４２を、外扉１００ａの正面から見て右側上部正面に対してガタツキ無く安定した状態に取り付けることができる。
【０１１３】
次に、上述した止めピン２７による前面カバー２３の取付け構造について説明する。  
図１１は止めピン２７による前面カバー２３の取付け構造についての説明図であり、詳しくは、図１１（ａ）は止めピン２７の組付け直前の斜視図、図１１（ｂ）は止めピン２７を止め孔２２ｅに挿入する直前の斜視図である。
【０１１４】
図１２は止めピン２７による固定方法、及び解除方法についての説明図であり、詳しくは、図１２（ａ）は止めピン２７を止め孔２２ｅに挿入した直後の斜視図、図１２（ｂ）は止めピン２７を右方向又は左方向へ９０度回転した状態の斜視図である。
【０１１５】
止めピン２７は、前面カバー２３の下端側後縁部に形成した保持孔２３ｃを介して互いに連結される上側部材２８と下側部材２９とで構成している。  
上側部材２８は、前記止め孔２２ｅに対して挿入が許容される外径寸法に形成した中空の軸部２８ａと、軸部２８ａの上端側に形成した前記止め孔２２ｅよりも小径の係止部２８ｂとで構成している。
【０１１６】
係止部２８ｂの対向外周面には、一対の突出片２８ｃを、前記止め孔２２ｅの溝部２２ｆと対応して径方向に向けて突出している。また、突出片２８ｃは、止め孔２２ｅの上面側周縁部に対して係止される長さに形成している。さらにまた、突出片２８ｃの先端側下面には、凹部２２ｇに対して係合される凸部２８ｄを形成している。
【０１１７】
下側部材２９は、上側部材２８の軸部２８ａに対して軸方向に抜止め固定される爪付きの軸部２９ａと、軸部２９ａの下端側に形成した前記止め孔２２ｅよりも大径の回動操作部２９ｂとで構成している。
【０１１８】
上述の止めピン２７は、前面カバー２３の保持孔２３ｃを介して、上側部材２８の軸部２８ａに対して下側部材２９の軸部２９ａを下方から差込んで一体的に組み付ける。また、上側部材２８の突出片２８ｃを、前記保持孔２３ｃよりも上方に突出し、下側部材２９の回動操作部２９ｂを、前記保持孔２３ｃよりも上方に突出した状態に組み付ける。  
これにより、止めピン２７を、前面カバー２３の保持孔２３ｃに対して上下動可能で、かつ、軸芯回りに水平回転可能に取り付けられる（図１１（ａ）（ｂ）参照）。
【０１１９】
上述の止めピン２７により前面カバー２３の下端側を固定する場合、前面カバー２３を、成形体２２の上面、前面、下面を覆うように取り付けた際、前面カバー２３に取り付けた止めピン２７を、成形体２２に形成した止め孔２２ｅと対向させる。
【０１２０】
この後、止めピン２７を、図示しない回動操作具により軸芯回りに回動操作して、上側部材２８の突出片２８ｃを止め孔２２ｅの溝部２２ｆに対して挿入が許容される向き、及び角度に回転停止する。  
このまま、止めピン２７を押し上げて、成形体２２の止め孔２２ｅに対して下方から垂直に挿入する（図１１（ｂ）参照）。
【０１２１】
上側部材２８の突出片２８ｃを止め孔２２ｅよりも上方に突出した後、止めピン２７を軸芯回りに右方向又は左方向へ９０度回動操作して、上側部材２８の突出片２８ｃが止め孔２２ｅの上面側周縁部に対して係止される角度に回動する。
【０１２２】
また、突出片２８ｃの凸部２８ｄを止め孔２２ｅの凹部２２ｇに係合して、上側部材２８の突出片２８ｃが止め孔２２ｅの溝部２２ｆに対して抜き取り不可となる向き、及び角度に回転停止する（図１２（ｂ）参照）。  
これにより、成形体２２と前面カバー２３とが開放不可に固定され、前面カバー２３を、成形体２２の上面、前面、下面を覆うように取り付けることができる。
【０１２３】
また、止めピン２７を右方向又は左方向へ９０度回動操作して、突出片２８ｃの凸部２８ｄを止め孔２２ｅの凹部２２ｇから抜け出させるとともに、上側部材２８の突出片２８ｃを止め孔２２ｅの溝部２２ｆに対して抜き取りが許容される向き、及び角度に回転操作する（図１２（ａ）参照）。
【０１２４】
すると、止めピン２７が自重下降によって成形体２２の止め孔２２ｅから抜き取られ、上側部材２８の突出片２８ｃが止め孔２２ｅよりも下方に落下する。  
これにより、止めピン２７による固定が解除され、前面カバー２３を、成形体２２から簡単に取り外すことができる。
【０１２５】
次に、上述した長尺装飾体２０３の取付け構造について説明する。図１３は長尺装飾体２０３の上端部取付け構造についての説明図、図１４は長尺装飾体２０３の下端部取付け構造についての説明図、図１５は長尺装飾体２０３の中央部取付け構造についての説明図である。
【０１２６】
長尺装飾体２０３は、図１、図２に示すように、外扉１００ａの幅方向左端側上部に取り付けられる上側装飾体２１０と、外扉１００ａの幅方向左端側下部に取り付けられる下側装飾体２２０とで構成している。上側装飾体２１０と下側装飾体２２０とは、上下方向Ｙに対して上下分割可能に構成している（図２参照）。
【０１２７】
また、長尺装飾体２０３は、外扉１００ａの幅方向左端側正面（商品展示部１０８の幅方向左端側正面を含む）が覆われる横幅に形成している。かつ、外扉１００ａの正面より前方に突出する凸状の断面形状に形成するとともに、外扉１００ａの上端から下端に至る左側正面と略同一長さに形成している。
【０１２８】
上側装飾体２１０における外扉１００ａの上部正面と対向する背面側上部には、外扉１００ａの上部平面に固定した側面から見て上下逆Ｌ字形の上部係止具２３０を係止可能に設けている。  
また、下側装飾体２２０における外扉１００ａの下部正面と対向する背面側下部には、外扉１００ａの下部底面に対して係止される側面から見てＬ字形の下部係止具２４０を固定している。
【０１２９】
上側装飾体２１０と下側装飾体２２０とを連結する背面側中央部には、外扉１００ａにおける商品展示部１０８の正面から見て左側下縁部に形成した切欠き部１０８ｂに対して係止される中央係止具２５０を固定している。
【０１３０】
次に、上述した上部係止具２３０、下部係止具２４０、及び中央係止具２５０の取付け構造について説明する。  
上部係止具２３０は、外扉１００ａの上部平面に突出する凸部を跨ぐように載置される側面から見て門形状に屈曲して形成した載置部２３０ａと、載置部２３０ａの後端を略直角に下方へ屈曲して形成したねじ孔２３０ｅを有する係止部２３０ｂと、載置部２３０ａの前端を略直角に下方へ屈曲して形成した取付け部２３０ｃとで構成している。
【０１３１】
上部係止具２３０は、載置部２３０ａを外扉１００ａの上部平面に対して跨ぐように載置した後、ねじ１６０を、係止部２３０ｂのねじ孔２３０ｅに挿通して、外扉１００ａの上部背面に螺合することにより、上部係止具２３０を外扉１００ａの上部に固定する（図１３参照）。
【０１３２】
上部係止具２３０に係止される受け板２３１は、上側装飾体２１０の背面側上部に対してねじ１６０にて固定している。受け板２３１の背面側には、取付け部２３０ｃに形成した係止爪２３０ｄが係止される係止孔２３１ａを形成している。
【０１３３】
下部係止具２４０は、外扉１００ａの下部底面に対して下方から押し当てられる当接部２４０ａと、当接部２４０ａの後端を略直角に上方へ屈曲して形成したねじ孔２４０ｅを有する起立部２４０ｂと、当接部２４０ａの前端を上方へ屈曲して形成した図示しない係止部とで構成している（図１４参照）。
【０１３４】
下部係止具２４０は、当接部２４０ａを外扉１００ａの下部底面に対して下方から押し当てた後、ねじ１６０を、起立部２４０ｂのねじ孔２４０ｅを介して、外扉１００ａの下部背面に螺合することにより、下部係止具２４０を外扉１００ａの下部に固定する。
【０１３５】
下部係止具２４０が係止される受け板２４１は、下側装飾体２２０の背面側下部に固定に対してねじ１６０にて固定している。受け板２４１の背面側下端部には、図示しない係止部が係止される切欠き部２４１ａを形成している。
【０１３６】
中央係止具２５０は、上側装飾体２１０の背面側下部にねじ１６０にて固定した上側連結具２５１と、下側装飾体２２０の背面側上部にねじ１６０にて固定した下側連結具２５２とで構成している。
【０１３７】
上側連結具２５１の背面側には、下側連結具２５２の上端を前方へ屈曲して形成した係止片２５２ａが係止される係止孔２５１ａを設けている。また、係止孔２５１ａの側部には、商品展示部１０８の正面から見て左側下縁部に形成した切欠き部１０８ｂに対して係止される係止爪２５１ｂを設けている（図１５参照）。  
なお、係止爪２５１ｂを、例えば、商品展示部１０８の透明パネルと外扉１００ａの前面パネルとの隙間に対して係止可能に設けてもよい。
【０１３８】
上側装飾体２１０と下側装飾体２２０とを一体的に連結固定する場合、上側装飾体２１０と下側装飾体２２０との対向端部を互いに嵌合し、下側連結具２５２の係止片２５２ａを、上側連結具２５１の係止孔２５１ａに係止した後、上側連結具２５１と下側連結具２５２とを互いに合致したままねじ１６０にて固定する。
【０１３９】
次に、上述した長尺装飾体２０３を、外扉１００ａの正面から見て幅方向左端側正面が覆われるように取り付ける方法を説明する。  
先ず、上側装飾体２１０に固定した受け板２３１の係止孔２３１ａを、外扉１００ａの上部平面に固定した上部係止具２３０の係止爪２３０ｄに係止する（図１３参照）。
【０１４０】
上側装飾体２１０に固定した上側連結具２５１の係止爪２５１ｂを、商品展示部１０８の正面から見て左側下縁部の切欠き部１０８ｂに係止して、長尺装飾体２０３の中央部を外扉１００ａの幅方向左端側正面に固定する（図１、図１５参照）。
【０１４１】
続いて、下側装飾体２２０に固定した下部係止具２４０の当接部２４０ａを外扉１００ａの下部底面に下方から押し当て、下部係止具２４０の起立部２４０ｂを外扉１００ａの下部背面に係止した後、起立部２４０ｂを外扉１００ａの下部背面に対してねじ１６０にて固定する（図１４参照）。
【０１４２】
この結果、長尺装飾体２０３を、外扉１００ａの正面から見て幅方向左端側正面が覆われるように確実かつ強固に固定することができるとともに、外扉１００ａに対してガタツキ無く、安定した状態に固定することができる。
【０１４３】
次に、上述した短尺装飾体２０４の取付け構造について説明する。図１６は短尺装飾体２０４の取付け構造の説明図であり、詳しくは、図１６（ａ）は短尺装飾体２０４を分離した状態の正面図、図１６（ｂ）は短尺装飾体２０４の横断平面図である。
【０１４４】
短尺装飾体２０４は、商品展示部１０８の幅方向右端側正面（具体的には、透明パネルの前面）に取り付けられる取付け板２１４と、取付け板２１４の上下端部と右側端部とに取り付けられる係止具２２４と、取付け板２１４の全体を覆うように取り付けられる短尺カバー２３４とで構成している（図１、図２、図１６参照）。
【０１４５】
また、短尺装飾体２０４は、外扉１００ａの幅方向右端側正面（商品展示部１０８の幅方向右側端部を含む）が覆われる横幅に形成している。かつ、外扉１００ａの正面より前方に突出する凸状の断面形状に形成するとともに、商品展示部１０８の上側縁部から下側縁部に至る右側正面と略同一長さに形成している。
【０１４６】
取付け板２１４は、商品展示部１０８の右端側正面に対して装着が許容される大きさ、及び形状に形成している。また、取付け板２１４の平面には、後述する係止爪２３４ａの係止が許容される係止孔２１４ａを上下に所定間隔を隔てて配置している。  
さらに、取付け板２１４の正面から見て左側縁部には、商品展示部１０８の前面（具体的には、透明パネルの前面）に配置した商品選択ボタンの突出が許容される切欠き部２１４ｂを形成している。
【０１４７】
係止具２２４は、取付け板２１４の上下端部、及び右側端部にねじ止めされる受け板２２４ａと、右側端部に固定した受け板２２４ａにねじ止めされる押え板２２４ｂとで構成している。また、受け板２２４ａの外側に突出する端部は、商品展示部１０８の透明パネルと外扉１００ａの前面パネルとの隙間に対して係止が許容される形状に形成している。
【０１４８】
短尺カバー２３４は、商品展示部１０８の上側縁部から下側縁部に至る右側正面が覆われる大きさ、及び形状に形成している。また、短尺カバー２３４の正面から見て左側背面には、取付け板２１４に形成した係止孔２１４ａに対して係合される係止爪２３４ａを、係止孔２１４ａに対して係合が許容される位置に所定間隔を隔てて複数配置している。
【０１４９】
また、短尺カバー２３４の正面から見て右側縁部と、該右側縁部が被せられる外扉１００ａの右側壁部との間には、短尺カバー２３４の右側縁部を、外扉１００ａの右側壁部に対して固定するための側部金具３５０を配置しており、その短尺カバー２３４の右側縁部には、側部金具３５０を取り付けるためのねじ孔２３４ｂを上下に所定間隔を隔てて上下に配置している（図１９参照）。
【０１５０】
次に、上述した短尺装飾体２０４を、外扉１００ａの正面から見て幅方向右端側正面に取り付ける方法について説明する。  
先ず、係止具２２４の受け板２２４ａを、商品展示部１０８の上下縁部に係止して仮止めした後、予め取付け板２１４の右側端部に固定した受け板２２４ａを商品展示部１０８の右側縁部に係止する。
【０１５１】
取付け板２１４の上下端部を、上述の仮止めした受け板２２４ａにねじ止めすることにより、取付け板２１４の上下端部を商品展示部１０８の上下縁部に固定することができる。
【０１５２】
また、押え板２２４ｂを、取付け板２１４の右側端部に固定した受け板２２４ａにねじ止めして、商品展示部１０８の右側縁部を、受け板２２４ａと押え板２２４ｂとで厚み方向に挟持することにより、取付け板２１４の右側端部を商品展示部１０８の右側縁部に固定することができる（図１参照）。
【０１５３】
この後、短尺カバー２３４を、取付け板２１４が覆われるように正面側から装着する際、短尺カバー２３４の係止爪２３４ａを取付け板２１４の係止孔２１４ａに係合することにより、短尺カバー２３４の左側を、取付け板２１４を介して、商品展示部１０８の右側正面に固定することができる（図１６（ｂ）参照）。
【０１５４】
これにより、短尺装飾体２０４を、外扉１００ａの幅方向右端側正面と、商品展示部１０８の幅方向右側正面とを覆うように取り付けることができる（図１参照）。  
なお、短尺カバー２３４の右側は、後述する側部金具１５０を介して、外扉１００ａの右側縁部に固定することができる。
【０１５５】
次に、上述した短尺装飾体２０４の取付けに用いられる側部金具３５０について説明する。図１７は短尺装飾体２０４の取付けに用いられる側部金具３５０の斜視図、図１８は側部金具３５０の取付け構造の斜視図である。
【０１５６】
図１９は側部金具１５０による短尺装飾体２０４の取付け状態についての説明図であり、詳しくは、図１９（ａ）は側部金具３５０による短尺装飾体２０４の固定状態の斜視図、図１９（ｂ）は側部金具１５０による短尺装飾体２０４の固定状態の横断平面図である。
【０１５７】
側部金具３５０は、屈曲加工した金属板で構成され、外扉１００ａの開閉側の右側壁部に対して背面から装着される側面フック３５１と、外扉１００ａの右側壁部の外面に対して押し当てられる側面当接部３５２と、短尺装飾体２０４（短尺カバー２３４）の右側縁部に対して背面から固定される側面挟持部３５３とで構成している（図１７参照）。
【０１５８】
側面フック３５１は、外扉１００ａの右側壁部の内面、背面、外面を跨ぐように上方から見てコ字状に形成している。また、側面フック３５１は、右側壁部の背面と対応する中央の部材が外扉１００ａの右側壁部の幅とほぼ同じ横幅に形成した背面当接部３５１ａと、内面、及び外面と対応する左右の部材が背面当接部３５１ａの左右端を略直角に前方へ屈曲して形成した２つの背面係止部３５１ｂ，３５１ｃとで構成している。
【０１５９】
側面フック３５１の後端側中央部には、背面当接部３５１ａの中央部から背面係止部３５１ｃの後端に連なる開口部３５１ｄを開口している。また、開口部３５１ｄは、後述する連結片３５２ａの挿入が許容される大きさ、及び形状に形成している。
【０１６０】
背面係止部３５１ｂの開口部３５１ｄと対応する後端側には、背面係止部３５１ｂの後端から後方に延びる連結片３５１ｅを形成している。また、連結片３５１ｅには、ねじ３５６の螺合が許容されるねじ孔３５１ｆを設けている。
【０１６１】
側面挟持部３５３の後端には、外扉１００ａの右側壁部の外面に対して押し当てられる側面当接部３５２が連なるように形成している。また、側面当接部３５２は、外扉１００ａの厚みと同程度あるいは略半分の奥行きを有している。
【０１６２】
側面挟持部３５３は、側面当接部３５２の前端から前方に延びる金属部材を上下方向に３分割して短冊状の部材に形成している。短冊状の部材は、中央の部材が側面当接部３５２の前端から短尺カバー２３４の板厚とほぼ同じ横幅で右方向に略Ｌ字に屈曲した側面固定部３５３ａと、上下の部材が奥行き方向の根元付近と中央付近とで左方向に緩やかに略Ｌ字に屈曲した２つの側面保持部３５３ｂとで構成している。
【０１６３】
側面固定部３５３ａには、短尺装飾体２０４（短尺カバー２３４）の右側縁部を固定するためのねじ孔３５３ｃを設けている。また、側面当接部３５２の後端側中央部には、側面当接部３５２の後端から後方に延びる連結片３５２ａを形成している。
【０１６４】
連結片３５２ａには、ねじ３５６の挿入が許容される孔部３５２ｂを設けている。さらに、側面当接部３５２の右側平面には、背面係止部３５１ｃの内面に当接される凸部３５２ｃを上下端部付近に形成している。
【０１６５】
次に、上述した側部金具３５０による短尺装飾体２０４の取付け方法について説明する。  
先ず、短尺装飾体２０４の正面から見て右側縁部を、側面挟持部３５３における側面固定部３５３ａと側面保持部３５３ｂとの間に挟み込んだ後、ねじ３５６を、短尺カバー２３４のねじ孔２３４ｂ、及び側面固定部３５３ａのねじ孔３５３ｃに螺合して、側面固定部３５３ａを短尺装飾体２０４の右側縁部に固定する。  
なお、ねじ３５６は、回動操作具３５７にて締込み方向、及び緩め方向に回動操作する（図１８参照）。
【０１６６】
側面挟持部３５３が取り付けられた短尺装飾体２０４を外扉１００ａの幅方向右側正面に被せた際、短尺装飾体２０４の右側縁部に取付けた側部金具３５０の側面挟持部３５３と対応して、側面フック３５１を、外扉１００ａの右側縁部に対して背面から引っ掛けるように装着し、背面当接部３５１ａが外扉１００ａの右側縁部に対して押し当てられる位置まで差し込む。
【０１６７】
続いて、短尺装飾体２０４の右側縁部に取付けた側面挟持部３５３の連結片３５２ａを、側面フック３５１の開口部３５１ｄに正面から挿入して連結片３５１ｅに対向した後、ねじ３５６を、側面当接部３５２の孔部３５２ｂを介して、連結片３５１ｅのねじ孔３５１ｆに螺合し、外扉１００ａの右側縁部を、側面フック３５１の背面係止部３５１ｂと側面挟持部３５３の側面当接部３５２とで厚み方向に締付けて固定する。  
これにより、短尺装飾体２０４の右側縁部を外扉１００ａの右側縁部に固定することができる（図１９（ａ）（ｂ）参照）。
【０１６８】
次に、上述した下部装飾体２０５の取付け構造について説明する。下部装飾体２０５は、柔軟性を有するプラスチック製のシートで構成され、商品展示部１０８と、精算部１０９と、施錠部１１０と、広告表示部１１１と、商品取出口１１２とを避けて、外扉１００ａの下部正面に対して貼着が許容される大きさ、及び形状に形成している（図１、図２参照）。
【０１６９】
また、下部装飾体２０５の右側正面には、精算部１０９の露出が許容される開口部２０５ａと、施錠部１１０の露出が許容される開口部２０５ｂとを開口している。さらに、下部装飾体２０５の左側正面には、広告表示部１１１の露出が許容される開口部２０５ｃを開口している。  
さらにまた、下部装飾体２０５の下側正面には、商品取出口１１２の露出が許容される横長の開口部２０５ｄと、硬貨返却口１１３の露出が許容される角形の開口部２０５ｅとを開口している。
【０１７０】
上述の下部装飾体２０５を、外扉１００ａの下部正面に装着する場合、下部装飾体２０５の背面側に貼着した図示しない両面粘着テープから離型紙を剥離し、下部装飾体２０５の開口部２０５ａ〜開口部２０５ｅを、外扉１００ａの正面に配置した商品展示部１０８と、精算部１０９と、広告表示部１１１と、商品取出口１１２と、硬貨返却口１１３とに対応させて、外扉１００ａの下部正面が覆われるように正面から貼着する。
【０１７１】
本実施形態の扉装飾体２０１を外扉１００ａの正面に取り付ける手順の一例として、上部装飾体２０２を外扉１００ａの上部正面が覆われるように取付け、下部装飾体２０５を外扉１００ａの下部正面が覆われるように貼着する。  
この後、長尺装飾体２０３を、外扉１００ａの幅方向左端側正面と、商品展示部１０８の幅方向左端側正面とが覆われるように取り付ける。また、短尺装飾体２０４を、外扉１００ａの幅方向右端側正面と、商品展示部１０８の幅方向右側正面とが覆われるように取り付ける（図１参照）。
【０１７２】
長尺装飾体２０３は、該長尺装飾体２０３の上端部を矩形パーツ１４１の下部に形成した段部１４１ｄ０２ｇに係合するとともに、長尺装飾体２０３を上部装飾体２０２の左側端部に対して連続するように配置して、外扉１００ａの幅方向左端側正面が覆われるように取り付ける。
【０１７３】
さらに、短尺装飾体２０４は、該短尺装飾体２０４の上端部を上部装飾体２０２の幅方向右端側下面に近接あるいは当接するとともに、短尺装飾体２０４を上部装飾体２０２の右側端部に対して連続するように配置して、外扉１００ａの幅方向右端側正面が覆われるように取り付ける。
【０１７４】
この結果、自動販売機用扉装飾体２０１を、既存の自動販売機１００における外扉１００ａの正面に取り付けるだけで、自動販売機１００のデザインを旧型から新型へ簡単かつ容易に変更することができ、デザインを変更する際の作業性が向上する。
【０１７５】
また、扉装飾体２０１を構成する装飾体２０２〜２０５、あるいは、長尺装飾体２０３の装飾体２１０，２２０のいずれか一つ又は複数に、例えば、割れ、破損等が発生したり、汚れや変色、経年変化等が顕著であり、自動販売機用扉装飾体２０１による取付け当初のデザインが損なわれてしまっても、その部分の装飾体２０２〜２０５あるいは装飾体２１０，２２０のみを交換するだけで、取付け当初のデザインに取り戻すことができる。
【０１７６】
さらにまた、装飾性あるいは意匠性が損なわれてしまった部分の装飾体２０２〜２０５のみを交換するだけで済むため、従来例のように扉カバー全体を交換するのに比べて、変更時の作業性が向上するとともに、交換に要する費用が安くて済み、コストの低減を図ることができる。  
さらにまた、装飾体２０２〜２０５のいずれか一つ又は複数を交換することにより、装飾体２０３〜１０６で構成するデザインの一部を変更することができる。
【０１７７】
この発明の構成と、前記実施形態との対応において、  
この発明の扉装飾体は、実施形態の上部装飾体２０２に対応し、  
以下同様に、  
中央装飾体は、中央パーツ１３０に対応し、  
側部装飾体は、側部パーツ１４０、及び矩形パーツ１４１，１４２に対応し、  
一端側装飾体は、矩形パーツ１４１に対応し、  
他端側装飾体は、矩形パーツ１４２に対応するも、  
この発明は、上述の実施形態の構成のみに限定されるものではなく、請求項に示される技術思想に基づいて応用することができ、多くの実施の形態を得ることができる。
【０１７８】
上述の実施形態では、連結板１４１ａ，１４２ａの取付け板２１に対する取付け位置を変更することにより、上部装飾体２０２の幅方向全長を可変調節する構造を説明したが、例えば、図２０に示すように、矩形パーツ１４１，１４２の連結板１４１ａ，１４２ａを、取付け板２１の左右端部に形成した長孔２１１ａ，２１２ａを介して幅方向Ｘにスライド可能にねじ２６で連結してもよい。
【０１７９】
これにより、ねじ２６による締付け固定を緩めるだけで、上部装飾体２０２の幅方向全長を、自動販売機１００における外扉１００ａと対応する横幅に可変調節することができ、ねじ２６を着脱する手間が省けるため、可変調節する際の作業性が向上する。  
また、上部装飾体２０２における中央パーツ１３０の正面から見て幅方向左端部に連結した矩形パーツ１４１の取付け位置を上下、及び前後に可変調節可能に設けてもよい。
【符号の説明】
【０１８０】
１００…自動販売機
１００ａ…外扉
１００ｂ…販売機本体
１０８…商品展示部
１０９…精算部
１１０…施錠部
１１１…広告表示部
１１２…商品取出口
１１３…硬貨返却口
２０１…自動販売機用扉装飾体
２０２…上部装飾体
２１…取付け板
２２…成形体
２３…前面カバー
２７…止めピン
１３０…中央パーツ
１４０…側部パーツ
１４１，１４２…矩形パーツ
１４３…可動板
１４４…支持板
１４５…差込み部
１４６…係止爪
１４７…係止孔
１５１，１５２…端部カバー
１８０…段差解消部材
２０３…長尺装飾体
２１０…上側装飾体
２２０…下側装飾体
２３０…上部係止具
２４０…下部係止具
２５０…中央係止具
２５１…上側連結具
２５２…下側連結具
２０４…短尺装飾体
２１４…取付け板
２２４…係止具
２３４…短尺カバー
２０５…下部装飾体
３５０…側部金具
３５１…側面フック
３５２…側面当接部
３５３…側面挟持部
Ｘ…幅方向
Ｙ…上下方向
Ｚ…前後方向
【図１】
2014215626.tif 000003
【図２】
2014215626.tif 000004
【図３】
2014215626.tif 000005
【図４】
2014215626.tif 000006
【図５】
2014215626.tif 000007
【図６】
2014215626.tif 000008
【図７】
2014215626.tif 000009
【図８】
2014215626.tif 000010
【図９】
2014215626.tif 000011
【図１０】
2014215626.tif 000012
【図１１】
2014215626.tif 000013
【図１２】
2014215626.tif 000014
【図１３】
2014215626.tif 000015
【図１４】
2014215626.tif 000016
【図１５】
2014215626.tif 000017
【図１６】
2014215626.tif 000018
【図１７】
2014215626.tif 000019
【図１８】
2014215626.tif 000020
【図１９】
2014215626.tif 000021
【図２０】
2014215626.tif 000022